(57)【要約】【課題】  従来の写真館の商品開発技術では、顧客との心の繋がりを通じて、信用や安心感などを醸成してより多くのファン客の育成をすること。  プロが捉える確かな写真を通じたブランド化を推進する。  意外性や話題性を通じて、客が客を呼ぶロコミの輪を広げる。  といった果敢なる取り組みの要求に対して、これまでの業界の動向を見てみると顧客に対する写真館の存在感の訴求が弱く将来的な展望が期待できない。【解決手段】  営業写真館等のスタジオで撮影に使用されるデジタルカメラ１と、アプリケーションソフトがインストールされているパーソナルコンピュータ２、ＤＶＤコンテンツメディア３とから構成されたＤＶＤフォトムービー制作システムを提案した。これにより、プロの力量や魅力を広く知らしめ、存在感をより高揚するための新たな商品を市場に投入して新たな需要を喚起できる。【選択図】図１
2010119072.tif 000002
【特許請求の範囲】
【請求項１】
パーソナルコンピュータ、家庭用ＤＶＤプレーヤー、業務用ＤＶＤプレーヤー、業務用動画・画像投影装置等で再生可能な動画データの媒体を制作するシステムであって、
デジタルカメラ等にて撮影した画像データと、ムービーカメラ等にて撮影した動画データと、パーソナルコンピュータ等にて制作された描画データと、任意に録音または予め用意された音楽データを、所定の長さのデジタル・ムービーに複数組み込み、一つの再生可能コンテンツとしたことを特徴とするＤＶＤフォトムービー制作システム。
【発明の詳細な説明】
【技術分野】
【０００１】  本発明はデジタルカメラ等で撮影した営業写真等の画像データを、その他の動画データ、描画データ、音声データとを組み合わせて一つのムービーコンテンツにするＤＶＤフォトムービー制作システムに関する。
【背景技術】
【０００２】  営業写真館の将来を論ずる時、「写真館に将来はあるのだろうか？」との疑問が必ず出てくる。１０数年来の景気低迷に加え、少子高齢化の進展、価値観の多様化、そして新規窓口の増加、さらには技術面でのデジタル化への流れなど、業界の変貌や変革は留まるところを知らない。こうしためまぐるしい社会変化の中で、「客足なくして発展なし」と言われている写真館においては、単に写真を作るだけの存在であるならば、将来の見通しは暗いもになるかもしれない。【０００３】  また、ある意味で、写真館も受注産業のひとつではあるが、だからと言って撮影した写真などのアルバムのみを主力商品として顧客に販売する従来の方法では、写真館は単なる写真の製造元にすぎず、多様化する顧客のニーズに応えることなく自ずと商品としての寿命が尽きる運命にある。
従来通りの旧態然とした写真を提供するだけで、何もせずに生き残られるわけではない。写真館側が提供した商品に対して、顧客から「魅力がないので必要ない」と指摘されれば、この業種では消滅せざるを得ないのである。【０００４】  これに対して、写真館自ら、顧客の心に触れるような商品を開発する。
例えば、従来のスチール写真（静画）一辺倒のサービスから脱却して、顧客の喜びや幸せなど、その想いや感動といったものを写真作りのなかでサービス化できる媒体などの商品化を実現する。
こうした商品の開発が可能になれば、写真館の未来は明るいと考えて良いと思われる。【０００５】  しかし、残念ながら、写真館として実行すべき処方箋は、すでに出尽くしているといっても過言ではない。例えば、最近のデジタルカメラの普及から、スタジオでの撮影機材にデジタルカメラとパーソナルコンピュータ（以下、パソコンと言う）を導入し、撮影したデジタル画像をパソコンのディスプレイに表示させて顧客にカット写真を選択させる。
そして、その場でデジタルプリントをするといったリアルタイムな撮影サービスもかなり普及している。また、スタジオでデジタルカメラで撮影したポートレートの画像をＣＤやＤＶＤに記録して顧客に商品として販売することも写真館のサービスとして一般的に行われている。
【発明の開示】
【発明が解決しようとする課題】
【０００６】  しかしながら、このような従来の技術では、顧客との心の繋がりを通じて、信用や安心感などを醸成してより多くのファン客の育成をすること。
プロが捉える確かな写真を通じたブランド化を推進する。
意外性や話題性を通じて、客が客を呼ぶロコミの輪を広げる。
といった果敢なる取り組みの要求に対して、これまでの業界の動向を見てみると顧客に対する写真館の存在感の訴求が、今ひとつ弱いような気がしてならない。【０００７】  そこで本発明は、将来的な総需要の伸びが懸念されるなかで、今改めて経営の根幹は客足にある点を再認識したうえで、プロの力量や魅力を広く知らしめ、存在感をより高揚するための新たな商品を開発する新規の技術を提案したものである。
【課題を解決するための手段】
【０００８】  本発明はデジタルカメラ等で撮影した営業写真等の画像データを、その他の動画データ、描画データ、音声データとを組み合わせて一つのムービーコンテンツにするＤＶＤフォトムービー制作システムに関するものである。
即ち、請求項１に記載の発明は、パーソナルコンピュータ、家庭用ＤＶＤプレーヤー、業務用ＤＶＤプレーヤー、業務用動画・画像投影装置等で再生可能な動画データの媒体を制作するシステムであって、デジタルカメラ等にて撮影した画像データと、ムービーカメラ等にて撮影した動画データと、パーソナルコンピュータ等にて制作された描画データと、任意に録音または予め用意された音楽データを、所定の長さのデジタル・ムービーに複数組み込み、一つの再生可能コンテンツとしたことを特徴とするＤＶＤフォトムービー制作システムである。
【発明の効果】
【０００９】  上記請求項１記載のＤＶＤフォトムービー制作システムによれば、デジタルカメラで撮影したポートレート写真等の複数の画像データを、イラストや動画、音声やＢＧＭを追加した一本のムービーコンテンツに仕上げることができる。
これにより、写真館自ら、顧客の心に触れるような商品を開発し、顧客の喜びや幸せなど、その想いや感動といったものを写真作りのなかでサービス化できる媒体などの商品化の実現が可能になった。
【発明を実施するための最良の形態】
【００１０】  以下に、本発明の好適な実施形態について図面を参照して説明する。
尚、本発明の実施の形態は、下記の実施形態に何ら限定されるものではなく、本発明の技術的範囲に属する限り種々の形態を採り得ることは無論である。
【実施例１】
【００１１】  本発明の実施形態１のＤＶＤフォトムービー制作システムは、図１に示した通り、営業写真館等のスタジオで撮影に使用されるデジタルカメラ１と、デジタルカメラにて撮影された画像データを読み込み、その他の各種データとを組み合わせてムービー化するためのアプリケーションソフトがインストールされているパーソナルコンピュータ（以下パソコンと言う）２、パソコン本体に付属されているＤＶＤドライブでフォトムービーが記録されたＤＶＤコンテンツメディア３とから構成されている。【００１２】  従来、営業写真館ではスタジオでの撮影用機材として銀塩カメラが主流であった。この銀塩カメラは、一般的にはフィルム式カメラとも言われ、カメラのレンズを通じて入社した光がフィルムにあたり潜像が形成される。
このフィルムを薬品により現像処理することでフィルム上に画像が形成されるようになっている。【００１３】  これに対して、デジタルカメラ１は、レンズを通じた光が撮像素子にあたり、撮像素子が光を電気信号に変えてデジタルカメラ１内部の画像処理回路でデジタル画像を形成するようになっている。【００１４】  デジタル画像は画素の集まりで形成されており、ひとつの画素にはひとつの色情報を持ち、これが多く集まって画像を形成している。従って、画素数が多いほど画像サイズは大きくなる。【００１５】  デジタルカメラ１で撮影された画像形式には、ＲＯＷ、ＴＩＦＦ、ＪＰＥＧの３種類が使われているが、本システムではＪＰＥＧ形式のファイル形式の画像を使用する。【００１６】  デジタルカメラ１で撮影された静画のＪＰＥＧ画像ファイルを読み込み、ムービーコンテンツに仕上げるパソコン２は一般市販のもので制作が可能であるが、出来るだけ高性能なものが望ましい。具体的にはデュアルコアＣＰＵ、高速チップセット、メモリは２Ｇ以上、グラフィックボード等を搭載したハイエンドパソコンが望ましい。【００１７】  本発明の実施形態１では、パソコン２に、ＯＳ（オペレーション・システム）はマイクロソフト・ウインドウズＸＰ、ＣＰＵにインテル・コア２デュオ・Ｅ４６００（２．４ＧＨｚ）、チップセットにインテル・９４５Ｇ、メインメモリーにＤＤＲ２ＳＤＲＡＭ（２Ｇ）、グラフィックにインテル・グラフィック・メディア・アクセラレーター９５０を搭載したものを使用している。【００１８】  本発明の実施形態１では、パソコン２に読み込んだＪＰＥＧ画像ファイルをムービー化する方法としてフラッシュ・ムービーを利用している。
フラッシュ・ムービーは、ベクターデータを使った非常に容量の軽いムービー媒体で、ダイナミックなムービー表現ができるため、ホームページ等のトップページのスプラッシュに利用されている。本実施形態では、このＷＥＢ用のムービー媒体を利用して、個人用のパーソナル・プレゼンテーション・ムービーを実現させた画期的なものである。【００１９】  ＷＥＢ用のフラッシュ・ムービーを使用するためには、市販のフラッシュ・オーサリング・ソフトを利用することになるが、本実施形態では、特にソフトを限定することなく一般市販のフラッシュ・ソフトなら利用可能である。
なお、フラッシュ・ソフトの具体的な使用方法については、ＷＥＢ関連のクリエーターであれば周知のことであるので詳しい説明は省略する。【００２０】  パソコン２に読み込まれたＪＰＥＧ画像ファイルは、フラッシュ・オーサリング・ソフトによって、その他の画像・動画・イラスト・音声ファイルなどと合わせて１本のムービーコンテンツに制作される。
このフラッシュ・ムービーのファイルを出力用のファイルに変換して保存する。この出力ファイルは、ビデオ・ＭＰ３サウンド・アニメーション・イメージ・データなどを含めることができるフォーマットであるだけではなく、フラッシュ・プレーヤーのプラグインが圧倒的に普及している点から、ＳＷＦ形式のファイルにするのが望ましい。【００２１】  パソコン２のフラッシュ・オーサリング・ソフトによって制作されたフラッシュ・ムービーの出力ファイルは、パソコン２に内蔵されているＤＶＤドライブでＤＶＤ−Ｖｉｄｅｏに変換されてＤＶＤメディア３に書き込まれる。【００２２】  以上の実施形態１のＤＶＤフォトムービー制作システムによれば、ＤＶＤメディア３に書き込まれたフォトムービーコンテンツは、図２に示したデスクトップパソコン４やノートパソコン５でムービーを閲覧することができるようになる。また、ＤＶＤメディア３に書き込まれたフォトムービーコンテンツは、図３に示したＤＶＤプレーヤー６で再生することで家庭用のテレビ７で閲覧することができるようになる。
なお、本実施形態１に採用したＤＶＤプレーヤー６は、便宜上、家庭用のＤＶＤプレーヤーを適用した実施形態について説明したが、本発明はこの装置に限定されるものではなく、例えば、業務用のＤＶＤプレーヤー、結婚式の披露宴の際に、動画や画像をスクリーンに投影するプロジェクター等に対しても適用させることができる。【００２３】  このように、実施形態１のＤＶＤフォトムービー制作システムは、スチール写真をアルバムとして見せるだけといった従来の営業写真館のビジネス形態から大きく飛躍し、全く新しいマルチメディア商品を市場に供給することが可能になる。従って、営業写真館などでは、このＤＶＤフォトムービーを商品の一つとして採用することで、顧客の心に触れるような商品、顧客の喜びや幸せなど、その想いや感動といったものを実現させる商品として顧客から大きな注目を受けることは確実である。
つまり、本発明を具現化しＤＶＤフォトムービー制作システムは、営業写真館での新たな顧客獲得に大きな訴求力を発揮するばかりでなく、営業写真館の業界にあって、競合先との差別化を図り、営業的に大きな収益を期待できることになり、営業写真館の営業成績を飛躍的に向上させることが可能になる画期的なものであり業界全体に与える恩恵は計り知れないものがある。
【実施例２】
【００２４】  図４は実施形態２の大規模集中管理型ＤＶＤフォトムービー制作システムを示したものである。この大規模集中管理型ＤＶＤフォトムービー制作システムは、多数のスタジオを本部にて管理運営するような大規模スタジオ運営会社とか複数の結婚式場を本部にて管理運営するような大規模冠婚葬祭会社などでＤＶＤフォトムービー制作システムを効率的に運用した場合の最適な実施例である。【００２５】  第２実施形態の大規模集中管理型ＤＶＤフォトムービー制作システムは、図に示した如く、本社建物８にＤＶＤフォトムービー制作システムを導入して制作部門を設置する。そして、この本社建物８と、インターネット回線９を介して複数のスタジオ１０ａ、１０ｂ、１０ｃあるいは複数の結婚式場１１ａ、１１ｂ、１１ｃとを接続する。【００２６】  第２実施形態の大規模集中管理型ＤＶＤフォトムービー制作システムによれば、複数のスタジオ１０ａ、１０ｂ、１０ｃあるいは複数の結婚式場１１ａ、１１ｂ、１１ｃで撮影された画像データをインターネット回線９を通じて本部建物８に送る。本部建物８にある制作部門では送られて来た画像データに基づきＤＶＤフォトムービーを制作する。制作部門で制作されたムービーコンテンツは、データの状態で元のスタジオ１０ａ、１０ｂ、１０ｃあるいは結婚式場１１ａ、１１ｂ、１１ｃに返送される。ムービーコンテンツを受け取ったスタジオ１０ａ、１０ｂ、１０ｃあるいは結婚式場１１ａ、１１ｂ、１１ｃでは、パソコン２を使用してＤＶＤメディア３に書き込む。これをＤＶＤフォトムービーの商品として顧客に納品する。【００２７】  また、スタジオ１０ａ、１０ｂ、１０ｃあるいは結婚式場１１ａ、１１ｂ、１１ｃから送られた画像データを本部建物８にある制作部門でＤＶＤフォトムービーに仕上げ、ムービーコンテンツとしてＤＶＤメディア３に書き込む。このＤＶＤメディア３を個人宅１２に宅配１３を利用して顧客に届けるサービスも可能である。【００２８】  このように、第２実施形態の大規模集中管理型ＤＶＤフォトムービー制作システムは、大規模なスタジオを運営する会社や複数の結婚式場を運営する会社においても、導入することで大きな収益を得ることができ極めて有意義で画期的なビジネスモデルを提供するものである。
例えば、営業スタジオ等の接客エリア内に大型の薄型テレビ等を設置し、業務用ＤＶＤプレーヤーで再生したＤＶＤフォトムービーを大型の薄型テレビで上映する。これにより、顧客に対して大きな宣伝訴求力を発揮し、売上におおきく貢献することは確実である。
また、結婚式場の披露宴会場等で、新郎・新婦のお色直しの隙間時間を利用して、新郎・新婦の子供のときからの成長過程の写真を、プロジェクターを介してスクリーンに投影する、エンドロールと称するイベントが実施されているが、このエンドロールのスライドショウに変えて、業務用のＤＶＤプレーヤーでＤＶＤフォトムービーを再生し、この動画を、プロジェクターを介してスクリーンに投影させれば、極めて斬新な手法による大きな訴求力を一般消費者に与えることになり、ブライダル業界に大きな収益を与えることは確実である。
【産業上の利用可能性】
【００２９】  本発明は、スタジオで撮影した写真をムービーコンテンツとしてＤＶＤにすることができるので、営業写真館で撮影した記念写真が全く新しいマルチメディコンテンツに生まれ変わる。これにより、写真館に対する消費者の興味を喚起して大きな収益が望めるようになり、写真館や結婚式場の写真部の将来におけるビジネスモデルとして大きな期待ができる。
【図面の簡単な説明】
【００３０】
【図１】実施形態１におけるＤＶＤフォトムービー制作システムを表した説明図である。
【図２】ＤＶＤフォトムービーをパソコンで再生した際の説明図である。
【図３】ＤＶＤフォトムービーをＤＶＤプレーヤーで再生した際の説明図である。
【図４】実施形態２の大規模集中管理型ＤＶＤフォトムービー制作システムを表した説明図である。
【符号の説明】
【００３１】１・・・デジタルカメラ  ２・・・パソコン  ３・・・ＤＶＤメディア
４・・・デスクトップパソコン  ５・・・ノートパソコン
６・・・ＤＶＤプレーヤー  ７・・・テレビ
８・・・本社建物  ９・・・インターネット回線
１０ａ、１０ｂ、１０ｃ・・・写真館
１１ａ、１１ｂ、１１ｃ・・・結婚式場
１２・・・個人宅  １３・・・宅配
【図１】
2010119072.tif 000003
【図２】
2010119072.tif 000004
【図３】
2010119072.tif 000005
【図４】
2010119072.tif 000006